(57)【特許請求の範囲】
【請求項１】
浴室の壁面から棚板を略水平に突設し、上記棚板の前端から幕板を垂設し、棚板の下面を載置して固定する棚板載置部と幕板の裏面を固定する幕板固定部と浴室の壁面に固定する壁面固定部とを有した矩形状枠のキャリアを浴室の壁面に沿わせて複数並設し、上記キャリアの一部に矩形状枠のキャリアが囲う枠内部と連通する切欠開口を設け、上記棚板の下方に配置した給水管等の配管を上記キャリアの枠内部に配置し、幕板固定部に設けた面ファスナーから成る貼着部を幕板の裏面に設けた被貼着部に着脱自在に貼着して仮固定し、上記配管が接続された水栓を棚板の下方に配設するように浴室の壁面に固定してこの水栓に幕板を本固定したことを特徴とする浴室カウンターの取付構造。
【請求項２】
棚板を載置したキャリアの棚板載置部の下面に上方に凹状に切り欠いた切欠凹所を形成し、棚板の下方に配置した配管の最下端部分に水抜き栓を設けると共に、上記配管のうち棚板の下面に沿わせて配置した配管を切欠凹所に挿入配置したことを特徴とする請求項１に記載の浴室カウンターの取付構造。
【発明の詳細な説明】
【０００１】
【発明の属する技術分野】
本発明は、浴室カウンターの取付構造に関する発明である。
【０００２】
【従来の技術及び発明が解決しようとする課題】
従来から、浴室にはその壁面から略水平に棚板が突設されると共に上記棚板の前面から幕板が垂設され、上記幕板により前面から目隠しされた棚板の下方の空間に給水管等に連通してカランやシャワーなどに至る配管が配置されて浴室カウンターが形成される。ここで、棚板は浴室の壁面に沿わせて複数並設したキャリアにより下面から固定され、幕板は上記キャリアの前面に固定されている。このキャリア１’は、図１３に示すように矩形状枠で形成されており、その矩形状枠で囲まれた枠内部５に上記配管が挿入配置される。図１３に示す配管４０は上記配管のうち棚板の下面に沿わせて配置されるカラン等に至る配管を示すものである。
【０００３】
上述した矩形状枠に形成したキャリア１’を用いた浴室カウンターの施工は、まず、上記キャリア１’を浴室の壁面２に取り付け、つぎに、キャリア１’の枠内部５に略水平方向に配管を挿通させて配置し、最後に、キャリア１’に棚板及び幕板を固定して行われる。このように、矩形状枠のキャリア１’の枠内部５に配管を配置させる施工においては、既に壁面２に取り付けられたキャリア１’の枠内部５に配管を略水平方向に挿通させて配置するような施工方法しか採用できないものであって、つまり、棚板の下方にあらかじめ配置した配管をキャリア１’を壁面に固定させる際に枠内部５に配置させるといった施工方法を採用することはできないものである。そのため、キャリア１’の壁面への固定と配管の配置との順序を変更させたりするような臨機応変な施工を行うことができないといった施工性の悪さが指摘されていた。
【０００４】
また、寒冷地などでは浴室の未使用時に、棚板の下方に配置される配管内に滞留した水が凍結することがあるために、上記配管の最下端部分に水抜きを行い得る水抜き栓を設け、上記水抜き栓を開放して配管内に滞留した水を配管外に排出する水抜き作業を行う。しかし、上述したように配管はそれぞれキャリア１’の枠内部５を貫通するように配置されるためにその配置位置が制限されるものであり、例えば、図１３に示すように、棚板の下方に配置される配管のうち棚板の下面に沿わせて配置された配管４０においては、キャリア１’の棚板を載置させる部分を避けるように下方に屈曲させて配置させねばならない場合もあり、このような場合では配管４０の屈曲部分に留まった水の水抜きが完全には行われずに配管４０内に残水が残ってしまい、配管４０の屈曲部分における配管４０内の残水が凍結することで、配管４０を塞いでしまったりすることや、凍結による水の体積膨張等により配管４０を痛めてしまったりするといった問題があった。
【０００５】
本発明は上記の点に鑑みてなされたものであり、キャリアの枠内部に配管を配置する施工を含めた浴室カウンターの施工性を向上させる浴室カウンターの取付構造を提供することを課題とし、加えて上記配管の水抜きも確実に行わせるようにした浴室カウンターの取付構造を提供することを課題とするものである。
【０００６】
【課題を解決するための手段】
上記課題を解決するために本発明の請求項１に係る浴室カウンターの取付構造は、浴室の壁面２から棚板３を略水平に突設し、上記棚板３の前端から幕板４を垂設し、棚板３の下面を載置して固定する棚板載置部１０と幕板４の裏面を固定する幕板固定部１２と浴室の壁面２に固定する壁面固定部１１とを有した矩形状枠のキャリア１を浴室の壁面２に沿わせて複数並設し、上記キャリア１の一部に矩形状枠のキャリア１が囲う枠内部５と連通する切欠開口６を設け、上記棚板３の下方に配置させる給水管等の配管を上記キャリア１の枠内部５に配置し、幕板固定部１２に設けた面ファスナーから成る貼着部１４を幕板４の裏面に設けた被貼着部に着脱自在に貼着して仮固定し、上記配管が接続された水栓を棚板３の下方に配設するように浴室の壁面２に固定してこの水栓に幕板４を本固定したことを特徴とする。これにより、あらかじめ浴室内に配置した配管にキャリア１を上方から近接させ、キャリア１に設けた切欠開口６を通して上記配管を枠内部５に位置させることができることから、キャリア１を壁面２に固定した後に配管をキャリア１の枠内部５に配置する施工が可能なのは勿論のこと、あらかじめ浴室内に配置した配管をキャリア１を壁面に固定させる際にキャリア１の枠内部５に配置させる施工も可能にするものであり、浴室カウンターの施工方法のバリエーションを増やすことで臨機応変な施工を行うことができ、また、幕板４が仮固定の後に本固定を行うことができる構造にしてあることで、幕板４の位置決めして固定させる施工性を向上させ、浴室カウンターの施工性の向上を図ることができるものである。
【０００７】
また、本発明の請求項２に係る浴室カウンターの取付構造は、請求項１において、棚板３を載置するキャリア１の棚板載置部１０に上方に凹状に切り欠いた切欠凹所８を形成し、棚板３の下方に配置した配管の最下端部分に水抜き栓９を設けると共に、上記配管のうち棚板の下面に沿わせて配置した配管を切欠凹所８に挿入配置したことを特徴とする。これにより、棚板３を載置するキャリア１の棚板載置部１０の下面に上方に凹状に切り欠いて切欠凹所８を形成したことから、棚板３の下面に沿わせて配置した配管を切欠凹所８に挿通させて直線状に配置することができ、つまり、従来技術の切欠凹所８を設けないキャリア１’において起こり得た上記棚板３の下面に沿わせて配置した配管がキャリア１’を避けるように下方に屈曲させて配置されるような状況になることはなく、従って、配管に滞留した水を上記配管の最下端部分に設けた水抜き栓９から滞りなく排出させることができるものである。
【０００８】
【発明の実施の形態】
以下、本発明を添付図面に示す実施形態に基づいて説明する。
【０００９】
図１乃至図１１に本発明の実施の形態の例を示す。
【００１０】
浴室カウンターは、浴室の壁面２に沿わせて固定したキャリア１の上面に棚板３を載置させて固定すると共に上記キャリア１の前面に幕板４を固定し、棚板３が浴室の壁面２から略水平に突設されると共に棚板３の前端から幕板４が垂設されるようにし、棚板３の下方に給水管等に連通してカランやシャワーなどに至る配管を配置して構成されるものである。以下、詳述する。
【００１１】
キャリア１は、上下の横辺と左右の縦辺とで形成した矩形状の下辺を削除した矩形状枠である。図１に示すキャリア１の例は、この矩形状枠は矩形状の下辺の全部を削除して下方に開口するようなコ字状となった例である。なお、図１２に示すキャリア１の例は、上記矩形状枠の下辺３７の一部を削除して形成した例である。上記矩形状枠の上辺である水平横枠１ａは棚板３を上面に載置する棚板載置部１０を構成し、上記矩形状枠の縦辺である一対の垂直縦枠１ｂの一方の垂直縦枠１ｂは浴室の壁面２に固着する壁面固定部１１を構成すると共に、他方の垂直縦枠１ｂは幕板４を固定する幕板固定部１２を構成している。このキャリア１の水平横枠１ａ及び垂直縦枠１ｂはそれぞれ断面をＬ字状に形成しているが、これは、棚板３や幕板４や壁面２を固定する固定片３５に対して上記固定片３５を補強する補強片３６を設けてキャリア１の剛性の向上を図っているためである。ここで、上記矩形状枠の下辺を削除して形成した開口は切欠開口６と称し、上記切欠開口６に連通すると共に水平横枠１ａと一対の垂直縦枠１ｂとで囲まれた空間を枠内部５と称する。壁面固定部１１である一方の垂直縦枠１ｂと棚板載置部１０である水平横枠１ａにはそれぞれビス等の固着具１５を挿通させる挿通孔１３が複数個設けられており、幕板固定部１２である他方の垂直縦枠１ｂの正面側には面ファスナーから成る貼着部１４が設けられており、上記棚板載置部１０である水平横枠１ａの下面には上方に凹状に切り欠いた切欠凹所８が設けられている。上記壁面固定部１１である一方の垂直縦枠１ｂに設けた挿通孔１３はキャリア１の壁面２への微妙な高さ位置の調整を行い得るように、上下に長く形成した長孔に形成されている（図３）。このキャリア１は棚板３の前面視幅方向の両端部分とその間の２箇所の計４箇所に配置される（図２）。
【００１２】
棚板３は、図４に示すように、水平板部３ａの前端に亘って係止突部３ｂを下方に突設させて形成されている。この棚板３の水平板部３ａの下面がキャリア１の棚板載置部１０に載置されて固着具１５を介して固定される。このとき、少なくとも、棚板３の水平板部３ａが水平状態であるか前面側が多少下方に位置するように傾斜させるように略水平に棚板３はキャリア１に固定される。この棚板３のキャリア１への略水平状態での固定を調整するために、例えば、キャリア１の棚板載置部１０と水平板部３ａの下面との間の適所にスペーサ部材（図示せず）等を介在させて行わせてもよいものである。本例では、棚板３の上面が浴槽３４の上面フランジ３４ａに略連続するように設けられる（図２）
幕板４は、図７に示すように、下部に化粧段部４ｃを備えた垂設平板状の前面板部４ａの上端に亘って段部４ｂを裏方に凹設させ、正面視幅方向の中央部分に壁面側に凹没させた中央凹所３２を設けて形成されている。また、適所に操作部挿通孔２２、点検部２３を設けている。この幕板４は上記段部４ｂを棚板３の係止突部３ｂの裏面に係止させると共に、前面板部４ａの裏面をキャリア１の幕板固定部１２に当接させて固定される。この固定は、前面板部４ａの裏面に設けた被被貼着部（図示せず）がキャリア１の幕板固定部１２の貼着部１４に着脱自在に貼着されることにより行われるが、厳密に言うと、幕板４は上記貼着部１４と被貼着部との貼着で仮固定を行い、後述する湯水混合操作部２０及び流路切替操作部２１の取付台座２７に螺合させる締め付けナット２８により強固な本固定を行うものである。このように、仮固定の後に本固定を行うことができる構造にしてあることで幕板４の位置決めして固定させる施工性を向上させている。
【００１３】
上述したように棚板３の下方で幕板４によって正面から目隠しされた空間には給水管等に連通してカランやシャワーなどに至る配管が配設されるが、本例では、図２に示すように、浴室外から導入された給水管と給湯管とを一体に連結させた混合水栓１６を棚板３の正面視幅方向の一方の端部の下方位置に配設させると共に、上記混合水栓１６からシャワー（図示せず）に至るシャワー配管１７とカランや吐水口１８に至るカラン配管１９とをそれぞれ棚板３の下面に沿わせて配設させている。
【００１４】
この混合水栓１６は、図３に示すように、湯と水との混合比を変化させ得る湯水混合弁と、上記混合された湯水の流路をシャワー配管１７またはカラン配管１９に切り換える流路切替弁とを備えており、下端で連結した給水管と給湯管とから供給された水及び湯を上記湯水混合弁及び流路切替弁とを介して上端に連結したシャワー配管１７とカラン配管１９とに配水する構造を有している。上記湯水混合弁は湯水混合操作部２０により操作されると共に、流路切替弁は流路切替操作部２１により操作される。この湯水混合操作部２０及び流路切替操作部２１は湯水混合弁及び流路切替弁を浴室内から操作し得るように幕板４の操作部挿通孔２２からそれぞれ前面に露出されるものである。また、混合水栓１６の最下端位置においては、給水管と給湯管の連結部分にそれぞれ対応して水抜き栓９が一対設けられている。この水抜き栓９の前方に位置する幕板４の所定部分には上記水抜き栓９の操作を浴室内から行い得ると共に水抜きした水を浴室内に排出できるように点検部２３が開閉自在に設けられている。また、吐水口１８は棚板３の正面視幅方向の略中央部分である棚板３の下面に固定されており、カラン配管１９は上記吐水口１８に向かって棚板３の下面に沿うように配置されている。このとき、上記カラン配管１９は棚板３を固定支持させたキャリア１の枠内部５を挿通するものであるが、キャリア１の水平横枠１ａに設けた切欠凹所８を挿通させている（図１）。シャワー配管１７はカラン配管１９と反対側に配置されて浴室の壁面２に隣接した壁面２'から浴室外に導出されており、浴室の上部等に位置させたシャワーにまで至らしめている。このシャワー配管１７もカラン配管１９と同様に棚板３の下面に沿うように配置され、キャリア１の枠内部５を挿通する部分ではキャリア１の水平横枠１ａに設けた切欠凹所８を挿通させている。上記吐水口１８は幕板４の中央凹所３２から浴室内に露出させている。
【００１５】
また、上記キャリア１を用いて形成させた浴室カウンターの下部で幕板４の最下端位置には２段目のカウンター３３を設けていて、上述した配管等が配設される棚板３の下方の空間を下方からも目隠して外観の向上を図っている（図６）。
【００１６】
ここで、上述した湯水混合操作部２０及び流路切替操作部２１の構造について詳述する。この湯水混合操作部２０及び流路切替操作部２１は、図８，図９に示すように、それぞれ混合水栓１６の前部に突設させた円柱状の取付台座２７を幕板４に一対貫通させた操作部挿通孔２２から前方に挿通させ、上記取付台座２７にＯリング２８ａを備えた締め付けナット２８及び表示部２９ａを備えたキャップ２９を順に取り付け、取付台座２７の中心位置に取付台座２７から更に前方に回転自在に突設された操作軸２７ａに操作ハンドル３０を取り付け、上記ハンドル３０の前面にキャップ３１を取り付けて構成されている。取付台座２７の周縁部にはねじ部２７ｂが施されていると共に、締め付けナット２８の内周側にもねじ部２８ｂが施されており、このねじ部同士２７ｂ，２８ｂを螺合させて締め付けナット２８を取付台座２７に締め付けることで、取付台座２７と締め付けナット２９との間に幕板４を挟持させる。このとき、締め付けナット２８はＯリング２８ａを幕板４に当接させるものであって幕板４と締め付けナット２８との間には水密構造が形成される。この締め付けナット２８はキャップ２９により被覆されて前面から目隠しされて外観良く仕舞われる。各弁の弁体を直接操作する回動軸体である操作軸２７ａを挿し込んで固定した操作ハンドル３０にはレバー３０ａが外周方向に突設されており、上記レバー３０ａの指し示すキャップ２９の表示部２９ａを弁体の状態に整合させることで、レバー３０ａを表示部２９ａに合わせるという視覚的な操作で各弁の確実な操作ができるようにしている。なお、キャップ３１は操作ハンドル３０に挿し込んだ操作軸２７ａを前面から目隠しするように操作ハンドル３０の中央部に被着させている。
【００１７】
また、上述した幕板４の点検部２３の構造について詳述する。この点検部２３は、図１０，図１１に示すように、幕板４を貫通させた点検孔２４に蓋材２５を着脱自在に取り付けた構造で幕板４に開閉自在に設けられている。蓋材２５は、前面に幕板４同様に板状に形成した薄板部２５ａを設け、上記薄板部２５ａの裏面にシリコン等のゴム部材で厚肉板状に形成した厚肉部２５ｂを設け、少なくとも厚肉部２５ｂの上下端部を切り欠いて形成した係止凹所２６を設けて形成されている。この蓋材２５は上記係止凹所２６を点検孔２４の周縁部分に嵌め合わせることで着脱自在に取り付けできるようにしてある。上記蓋材２５を点検孔２４に取り付けるには、蓋材２５の下方の係止凹所２６を点検孔２４の下端に嵌め込み［図１０（ａ）］、上記蓋材２５の下方の係止凹所２６を軸として蓋材２５の上部を裏方に回動させるように押し込み［図１０（ｂ）］、蓋材２５の上方の係止凹所２６を点検孔２４の上端に嵌め込んで［図１０（ｃ）］行われる。また、上記蓋材２５を点検孔２４から取り外すには、指の爪等を蓋材２５の下方の係止凹所２６に引っ掛けて蓋材２５を上方に持ち上げることで蓋材２５の下方の係止凹所２６と点検孔２４の下端との嵌合を解き［図１１（ａ）］、上記蓋材２５の上方の係止凹所２６を軸として蓋材２５の下部を前方に回動させるように引っ張ることで［図１１（ｂ）］行われる。このように、ゴム部材により形成された厚肉部２５ｂが係止凹所２６を構成していることで、たとえこの点検孔２４に外部から衝撃が加わったとしても上記厚肉部２５ｂがその衝撃を吸収することができるものであり、また、本例では上記厚肉部２５ｂの上下端部を裏方に行くに従って外方に広がるテーパ形状にして係止凹所２６を形成させていることから、蓋材２５の係止凹所２６に挿入される点検孔２４の周縁部分の幕板４の厚さがまちまちであっても上記まちまちである幕板４の厚みを係止凹所２６が吸収し得るものであり、蓋材２５の点検孔２４への装着の高い安定性が備えられている。
【００１８】
さて、上述した構成を有する浴室カウンターを施工するにあたっては、まず、図４に示すように、混合水栓１６、カラン配管１９及びシャワー配管１７を浴室内に配設すると共にキャリア１を浴室の壁面２に仮固定させる。このとき、キャリア１の枠内部５に上記カラン配管１９やシャワー配管１７が配置される。つぎに、図５に示すように、キャリア１の棚板載置部１０に棚板３を固定させる。このとき、棚板３が所定位置に水平に配置されるようにするために複数個のキャリア１は壁面２に上下位置調整が行われながら固定される。このキャリア１の壁面２への上下位置調整は、上下に長い長孔である壁面固定部１１の挿通孔１３の任意位置に固着具１５を挿通させて仮固定されたキャリア１を上記固着具１５に対して上下にスライドさせて所定位置に合わせ、固着具１５を壁面２に強固に打設させることで行われる。つぎに、図６に示すように、２段目のカウンター３３を設置する。つぎに、図７に示すように、幕板４をキャリア１に取り付ける。このとき、上述したように、キャリア１の貼着部１４と幕板４の被貼着部との貼着での仮固定の後、湯水混合操作部２０及び流路切替操作部２１の取付台座２７に螺合させる締め付けナット２８により強固に本固定が行われる。そして、最後に、図８に示すように、湯水混合操作部２０及び流路切替操作部２１の操作ハンドル３０等の取付施工を行う。
【００１９】
ここで、上記一番初めの施工工程であるシャワー配管１７やカラン配管１９（以下、各配管と称する）をキャリア１の枠内部５に配置する施工においては、あらかじめ浴室内に各配管を配置した後にキャリア１を浴室の壁面２に固定させて浴室カウンターを形成させる施工方法、または、キャリア１を壁面２に固定して浴室カウンターを形成させた後に各配管をキャリア１の枠内部５に水平方向に挿通させて配置させる施工方法が考えられるが、本例の切欠開口６を設けたキャリア１を用いた浴室カウンターにおいては上記施工方法のいずれをも採用することができる。つまり、本例の切欠開口６を設けたキャリア１は、あらかじめ浴室内に配置した各配管を切欠開口６を通して枠内部５に位置させることで前者の施工方法を可能ならしめているのである。従来技術の切欠開口６を設けていないキャリア１’においては後者の施工方法しか採用できなかったことを鑑みると、本例の切欠開口６を設けたキャリア１を用いた浴室カウンターの施工においては、キャリア１を壁面２に固定した後に各配管をキャリア１の枠内部５に配置する施工が可能なのは勿論のこと、あらかじめ浴室内に配置した各配管をキャリア１を壁面に固定させる際にキャリア１の枠内部５に配置する施工も可能であり、浴室カウンターの施工方法のバリエーションを増やすことで臨機応変な施工を行うことができ、施工性の向上が図られるものである。
【００２０】
また、寒冷地などでは浴室の未使用時に棚板３の下方に配置される各配管内に滞留した水が凍結することがあるために、浴室の未使用時には各配管内に滞留した水の水抜き作業が行われるものである。この水抜き作業は本例の浴室カウンタでは例えば以下のように行われる。まず、給湯管及び給水管の元栓を締める。つぎに、幕板４の点検部２３を開けて混合水栓１６の最下端部に設けた水抜き栓９をそれぞれ開放させる。そして、湯水混合操作部２０を操作して湯水混合弁が給湯管と給水管とを連通させる状態にする。最後に、流路切替操作部２１を操作して流路切替弁をシャワー配管１７に連通した状態とカラン配管１９に連通した状態とに切り換える。本例の浴室カウンターでは各配管は棚板３の下面に沿わせて直線状に配置させ得るものであるため、従来技術のキャリア１’において起こり得た上記配管をキャリア１’を避けるように下方に屈曲させて配置させるような状況（図１３参照）になることはなく、そのため配管内に滞留した水を完全に水抜き栓９を介して浴室に排出させることができるものである。なお、給湯管及び給水管の元栓より浴室側の最下端に水抜き栓９を位置させておくと、上記水抜き作業において、元栓より浴室側の給湯管及び給水管の残水も水抜き栓９を介して浴室に排出させることができるものである。このように、本例の浴室カウンターでは、各配管に滞留した水の水抜き作業を残水が各配管内に残らないように行わせることができることから、従来技術では起こり得た配管の屈曲部分における配管内の残水が凍結することで配管を塞いでしまったりすることや、残水の凍結による水の体積膨張等により配管を痛めてしまったりすることを確実に無くすることができるものである。
【００２１】
【発明の効果】
上記のように本発明の請求項１記載の浴室カウンターの取付構造にあっては、浴室の壁面から棚板を略水平に突設し、上記棚板の前端から幕板を垂設し、棚板の下面を載置して固定する棚板載置部と幕板の裏面を固定する幕板固定部と浴室の壁面に固定する壁面固定部とを有した矩形状枠のキャリアを浴室の壁面に沿わせて複数並設し、上記キャリアの一部に矩形状枠のキャリアが囲う枠内部と連通する切欠開口を設け、上記棚板の下方に配置した給水管等の配管を上記キャリアの枠内部に配置したので、浴室カウンターの施工においては、あらかじめ浴室内に配置した配管にキャリアを上方から近接させ、キャリアに設けた切欠開口を通して上記配管を枠内部に位置させることができることから、キャリアを壁面に固定した後に配管をキャリアの枠内部に配置する施工が可能なのは勿論のこと、あらかじめ浴室内に配置した配管をキャリアを壁面に固定させる際にキャリアの枠内部に配置する施工も可能にするものであり、従来技術の切欠開口を設けていないキャリアにおいては上記前者の施工方法しか採用できなかったことを鑑みると、本例の切欠開口を設けたキャリアを用いた浴室カウンターの施工においては従来に比べて施工方法の自由度が大きいものであって臨機応変な施工を行うことができることから、浴室カウンターの施工性の向上を図ることができるものである。また、幕板固定部に設けた面ファスナーから成る貼着部を幕板の裏面に設けた被貼着部に着脱自在に貼着して仮固定し、上記配管が接続された水栓を棚板の下方に配設するように浴室の壁面に固定してこの水栓に幕板を本固定したので、つまり幕板は仮固定の後に本固定を行うことができる構造にしてあることで、幕板の位置決めして固定させる施工性を向上させ、浴室カウンターの施工性の向上を図ることができるものである。
【００２２】
また、本発明の請求項２記載の浴室カウンターの取付構造にあっては、請求項１の効果に加えて、棚板を載置するキャリアの棚板載置部の下面に上方に凹状に切り欠いた切欠凹所を形成し、棚板の下方に配置した配管の最下端部分に水抜き栓を設けると共に、上記配管のうち棚板の下面に沿わせて配置した配管を切欠凹所に挿入配置したので、例えば、棚板の下面に沿わせて配置する配管も上記切欠凹所に挿入配置させて直線状に配置することができ、つまり、従来技術の切欠凹所を設けていないキャリアにおいて起こり得た上記配管がキャリアを避けるように下方に屈曲させて配置されるような状況になることはなく、従って、配管の最下端部分に設けた水抜き栓から配管に滞留した水を抜く水抜き作業が残水を配管内に残さないように確実に行われるものであり、従来技術では起こり得た配管の屈曲部分における配管内の残水が凍結することで、配管を塞いでしまったりすることや、凍結による水の体積膨張等により配管を痛めてしまったりすることを確実に無くすることができるものである。
【図面の簡単な説明】
【図１】本発明の実施の形態の例を示すものであり、枠内部の切欠凹所にカラン配管を挿通させた状態のキャリアの斜視図である。
【図２】同上の幕板を外した状態の浴室カウンターの正面図である。
【図３】同上の混合水栓、各配管、キャリアを壁面に固定した状態の浴室カウンターの部分斜視図である。
【図４】同上の施工を説明する図面であって、混合水栓及び各配管を設け、キャリアを壁面に固定した状態の浴室カウンターの斜視図である。
【図５】同上の施工を説明する図面であって、図４の状態の浴室カウンターに更に棚板を取り付けする状態の浴室カウンターの斜視図である。
【図６】同上の施工を説明する図面であって、図５の状態の浴室カウンターに更に２段目のカウンターを設ける状態の浴室カウンターの斜視図である。
【図７】同上の施工を説明する図面であって、図６の状態の浴室カウンターに更に幕板を取り付けする状態の浴室カウンターの斜視図である。
【図８】同上の施工を説明する図面であって、図７の状態の浴室カウンターに更に操作部を幕板の前面に設ける状態の浴室カウンターの斜視図である。
【図９】同上の幕板の前面に配置した操作部を示す正面図である。
【図１０】（ａ）（ｂ）（ｃ）は幕板の点検部の点検孔に対する蓋材の閉塞動作を順に示すものである。
【図１１】（ａ）（ｂ）は幕板の点検部の点検孔に対する蓋材の開放動作を順に示すものである。
【図１２】同上のキャリアの他例を示すもので、枠内部の切欠凹所にカラン配管を挿通させた状態のキャリアの斜視図である。
【図１３】従来技術の例を示すものであり、（ａ）はキャリアの枠内部に配管を挿通させた状態の斜視図であり、（ｂ）は（ａ）の側面断面図である。
【符号の説明】
１  キャリア
２  壁面
３  棚板
４  幕板
５  枠内部
６  切欠開口
８  切欠凹所
９  水抜き栓
１６  混合水栓
１７  シャワー配管
１９  カラン配管
【図１】
0003702803.tif 000002
【図２】
0003702803.tif 000003
【図３】
0003702803.tif 000004
【図４】
0003702803.tif 000005
【図５】
0003702803.tif 000006
【図６】
0003702803.tif 000007
【図７】
0003702803.tif 000008
【図８】
0003702803.tif 000009
【図９】
0003702803.tif 000010
【図１０】
0003702803.tif 000011
【図１１】
0003702803.tif 000012
【図１２】
0003702803.tif 000013
【図１３】
0003702803.tif 000014